(57)【要約】【課題】容易に把握可能に設定値を示唆する。【解決手段】遊技機は、スタートスイッチの操作に基づき、ボーナス役を含む複数種類の当選種別のいずれかを当選種別抽選により決定する当選種別抽選手段と、通常遊技状態、通常遊技状態においてボーナス役を含む当選種別に当選したことに基づいて移行する内部中遊技状態、内部中遊技状態においてボーナス役が入賞したことに基づいて移行するボーナス遊技状態を含む複数の遊技状態のいずれかに遊技状態を移行する遊技状態制御手段と、遊技者の有利度合を段階的に示した設定値を設定する設定値設定手段と、を備え、少なくともボーナス遊技状態における当選種別抽選では、所定の設定値に設定されている場合、所定の当選種別に当選する場合があり、所定の設定値と異なる設定値に設定されている場合、所定の当選種別には当選しない。【選択図】図８
2019083924.tif 000002
【特許請求の範囲】
【請求項１】
スタートスイッチの操作に基づき、ボーナス役を含む複数種類の当選種別のいずれかを当選種別抽選により決定する当選種別抽選手段と、
前記スタートスイッチの操作に基づき、複数種類の図柄がそれぞれ配列された複数のリールを回転制御し、回転しているリールに対応するストップスイッチの操作に応じ、前記当選種別抽選手段の抽選結果に基づいて、操作された前記ストップスイッチに対応するリールをそれぞれ停止制御するリール制御手段と、
通常遊技状態、前記通常遊技状態において前記ボーナス役を含む当選種別に当選したことに基づいて移行する内部中遊技状態、前記内部中遊技状態において前記ボーナス役が入賞したことに基づいて移行するボーナス遊技状態を含む複数の遊技状態のいずれかに遊技状態を移行する遊技状態制御手段と、
遊技者の有利度合を段階的に示した設定値を設定する設定値設定手段と、
を備え、
少なくとも前記ボーナス遊技状態における前記当選種別抽選では、所定の設定値に設定されている場合、所定の当選種別に当選する場合があり、前記所定の設定値と異なる設定値に設定されている場合、前記所定の当選種別には当選しない遊技機。
【請求項２】
前記リール制御手段は、前記所定の当選種別に当選すると、所定の図柄組み合わせが所定の表示態様で表示されるように停止制御し、
前記所定の当選種別に当選したにも拘わらず、前記所定の図柄組み合わせが前記所定の表示態様で表示されなかった場合、前記所定の当選種別に当選した旨の演出を行う演出制御手段を備える請求項１に記載の遊技機。
【請求項３】
前記リール制御手段は、前記所定の当選種別に当選すると、前記ストップスイッチの第２停止に応じ、前記ストップスイッチの第１停止により停止制御された表示態様に対応する図柄が優先的に表示されるように停止制御する請求項１または２に記載の遊技機。
【請求項４】
前記ボーナス役は複数種類あり、所定のボーナス役に基づく内部中遊技状態およびボーナス遊技状態では、前記所定の設定値に設定されている場合、前記所定の当選種別に当選する場合があり、前記所定のボーナス役以外のボーナス役に基づくボーナス遊技状態では、前記所定の設定値に設定されている場合であっても前記所定の当選種別に当選する場合がなく、
前記リール制御手段は、前記所定の当選種別に当選した場合、前記所定のボーナス役に対応する内部中遊技状態であれば、所定の図柄組み合わせが所定の表示態様で表示されるように停止制御し、前記所定のボーナス役以外のボーナス役に対応する内部中遊技状態であれば、前記所定の図柄組み合わせが所定の表示態様で表示されないように停止制御する請求項１から３のいずれか１項に記載の遊技機。
【請求項５】
前記所定の当選種別は第１当選種別と第２当選種別を含み、
前記リール制御手段は、
前記第１当選種別に当選すると、所定の図柄組み合わせが所定の表示態様で表示されるように停止制御し、前記第２当選種別に当選すると、所定の図柄組み合わせが前記所定の表示態様と異なる表示態様で表示されるように停止制御し、
前記第１当選種別に当選したにも拘わらず、前記所定の図柄組み合わせが所定の表示態様で表示できなかった場合、所定の図柄組み合わせが前記所定の表示態様と異なる表示態様で表示されるように停止制御する請求項１から４のいずれか１項に記載の遊技機。
【発明の詳細な説明】
【技術分野】
【０００１】
本発明は、遊技者に遊技上の利益を付与するか否かを抽選により決定する遊技機に関する。
【背景技術】
【０００２】
遊技機としてのスロットマシンでは、遊技の進行に際し、遊技者の有利度合い（遊技利益）を異にする複数の遊技状態や演出状態が設けられている。例えば、ボーナス役に対応する図柄組み合わせを有効ライン上に表示することで、通常遊技状態より、遊技者がメダルを獲得し易いボーナス遊技状態に移行する仕様を採用しているスロットマシンがある。
【０００３】
また、スロットマシンでは、遊技者の有利度合いを調整するために、遊技利益を得る容易性を段階的に示した設定値を個々に設定することができる。ホール側管理者は、かかる設定値の変更を通じてスロットマシンの出玉率等を調整する。遊技者は、遊技を有利に進行することを望んでいるため、ホール管理者が設定した設定値を把握したいと考えるが、設定値が容易かつ正確に把握可能となると、出玉率の高いスロットマシンのみが稼働することとなり、ホール側の経営が成り立たなくなる。
【０００４】
そこで、遊技者に有利なボーナス遊技状態以外の通常遊技状態において、ボーナス役と重複当選している可能性がある特定役が当選した場合に、液晶画面上で設定値を示唆する演出を実行する技術が知られている（例えば、特許文献１）。
【先行技術文献】
【特許文献】
【０００５】
【特許文献１】特開２００９−１１２６０４号公報
【発明の概要】
【発明が解決しようとする課題】
【０００６】
上述したように、設定値が容易かつ正確に把握可能となると、出玉率の高いスロットマシンのみが稼働することとなり、ホール側の経営が成り立たなくなる。しかし、設定値の示唆を全く行わないとなると、可能な限り高い設定値で遊技したいと考える遊技者の遊技意欲が減退してしまう。そこで、特許文献１のように、液晶画面を通じて設定値を示唆することも考えられるが、その報知機会が、特定役の当選時や遊技状態の変化時等に限られてしまうことがあり、また、表示された液晶画面がどの設定値を示すのか理解し難かった。
【０００７】
本発明は、このような課題に鑑み、容易に把握可能に設定値を示唆することが可能な遊技機を提供することを目的としている。
【課題を解決するための手段】
【０００８】
上記課題を解決するために、本発明の遊技機は、スタートスイッチの操作に基づき、ボーナス役を含む複数種類の当選種別のいずれかを当選種別抽選により決定する当選種別抽選手段と、前記スタートスイッチの操作に基づき、複数種類の図柄がそれぞれ配列された複数のリールを回転制御し、回転しているリールに対応するストップスイッチの操作に応じ、前記当選種別抽選手段の抽選結果に基づいて、操作された前記ストップスイッチに対応するリールをそれぞれ停止制御するリール制御手段と、通常遊技状態、前記通常遊技状態において前記ボーナス役を含む当選種別に当選したことに基づいて移行する内部中遊技状態、前記内部中遊技状態において前記ボーナス役が入賞したことに基づいて移行するボーナス遊技状態を含む複数の遊技状態のいずれかに遊技状態を移行する遊技状態制御手段と、遊技者の有利度合を段階的に示した設定値を設定する設定値設定手段と、を備え、少なくとも前記ボーナス遊技状態における前記当選種別抽選では、所定の設定値に設定されている場合、所定の当選種別に当選する場合があり、前記所定の設定値と異なる設定値に設定されている場合、前記所定の当選種別には当選しない。
【０００９】
前記リール制御手段は、前記所定の当選種別に当選すると、所定の図柄組み合わせが所定の表示態様で表示されるように停止制御し、前記所定の当選種別に当選したにも拘わらず、前記所定の図柄組み合わせが前記所定の表示態様で表示されなかった場合、前記所定の当選種別に当選した旨の演出を行う演出制御手段を備えてもよい。
【００１０】
前記リール制御手段は、前記所定の当選種別に当選すると、前記ストップスイッチの第２停止に応じ、前記ストップスイッチの第１停止により停止制御された表示態様に対応する図柄が優先的に表示されるように停止制御してもよい。
【００１１】
前記ボーナス役は複数種類あり、所定のボーナス役に基づく内部中遊技状態およびボーナス遊技状態では、前記所定の設定値に設定されている場合、前記所定の当選種別に当選する場合があり、前記所定のボーナス役以外のボーナス役に基づくボーナス遊技状態では、前記所定の設定値に設定されている場合であっても前記所定の当選種別に当選する場合がなく、前記リール制御手段は、前記所定の当選種別に当選した場合、前記所定のボーナス役に対応する内部中遊技状態であれば、所定の図柄組み合わせが所定の表示態様で表示されるように停止制御し、前記所定のボーナス役以外のボーナス役に対応する内部中遊技状態であれば、前記所定の図柄組み合わせが所定の表示態様で表示されないように停止制御してもよい。
【００１２】
前記所定の当選種別は第１当選種別と第２当選種別を含み、前記リール制御手段は、前記第１当選種別に当選すると、所定の図柄組み合わせが所定の表示態様で表示されるように停止制御し、前記第２当選種別に当選すると、所定の図柄組み合わせが前記所定の表示態様と異なる表示態様で表示されるように停止制御し、前記第１当選種別に当選したにも拘わらず、前記所定の図柄組み合わせが所定の表示態様で表示できなかった場合、所定の図柄組み合わせが前記所定の表示態様と異なる表示態様で表示されるように停止制御してもよい。
【発明の効果】
【００１３】
本発明によれば、容易に把握可能に設定値を示唆することが可能となる。
【図面の簡単な説明】
【００１４】
【図１】スロットマシンの概略的な機械的構成を説明するための外観図である。
【図２】スロットマシンの概略的な機械的構成を説明するための前面扉を開いた状態での外観図である。
【図３】リールの図柄配列および有効ラインを示す図である。
【図４】スロットマシンの概略的な電気的構成を示したブロック図である。
【図５】当選役を説明するための説明図である。
【図６】当選種別抽選テーブルを示す図である。
【図７】主制御基板における遊技状態の遷移を説明するための説明図である。
【図８】当選種別抽選テーブルのうち、当選種別「ＲＢＢ」に関する当選種別抽選テーブルに着目した説明図である。
【図９】当選種別「共通チェリー」に当選したときの停止制御を説明した説明図である。
【図１０】当選種別「確定チェリー」に当選したときの停止制御を説明した説明図である。
【図１１】当選種別「中段チェリー」に当選したときの停止制御を説明した説明図である。
【図１２】主制御基板のメイン処理を示したフローチャートである。
【図１３】副制御基板のサブ処理を示したフローチャートである。
【図１４】コマンド受信処理を示したフローチャートである。
【発明を実施するための形態】
【００１５】
以下に添付図面を参照しながら、本発明の好適な実施形態について詳細に説明する。かかる実施形態に示す寸法、材料、その他具体的な数値等は、発明の理解を容易とするための例示にすぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１６】
（スロットマシン１００の機械的構成）
図１および図２の外観図に示すように、遊技機としてのスロットマシン１００は、前面が開口した筐体１０２と、筐体１０２の前面一端に回動可能に上下に並んで配置される前面上扉１０４および前面下扉１０６とが設けられている。前面上扉１０４の下部略中央には、ガラス板や透明樹脂板等で構成された無色透明の図柄表示窓１０８が設けられており、筐体１０２内の図柄表示窓１０８に対応する位置には、３つのリール１１０（左リール１１０ａ、中リール１１０ｂ、右リール１１０ｃ）が、それぞれ独立して回動可能に設けられている。左リール１１０ａ、中リール１１０ｂ、右リール１１０ｃには、図３（ａ）の図柄配列に示すように、２０に等分された各領域に複数種類の図柄がそれぞれ配列されており、遊技者は、図柄表示窓１０８を通じて、上段、中段、下段に位置する、左リール１１０ａ、中リール１１０ｂ、右リール１１０ｃそれぞれの３つの連続する合計９個の図柄を視認することができる。
【００１７】
前面下扉１０６の上部には操作部設置台１１２が形成され、操作部設置台１１２には、メダル投入部１１４、ベットスイッチ１１６、スタートスイッチ１１８、ストップスイッチ１２０、演出スイッチ１２２等が設けられている。メダル投入部１１４は、メダル投入口１１４ａを通じて遊技媒体としてのメダルの投入を受け付ける。ベットスイッチ１１６は、スロットマシン１００の内部に電気的に貯留（以下、単にクレジットという）されているメダルのうち、１遊技で必要とされる規定数のメダルを投入（ベット）する。
【００１８】
スタートスイッチ１１８は、例えば傾倒操作を検出可能なレバーで構成され、遊技者による遊技の開始操作を検出する。ストップスイッチ１２０（ストップスイッチ１２０ａ、ストップスイッチ１２０ｂ、ストップスイッチ１２０ｃ）は、左リール１１０ａ、中リール１１０ｂ、右リール１１０ｃそれぞれに対応して設けられており、遊技者の停止操作を検出する。なお、ストップスイッチ１２０の停止操作が可能な状態で、遊技者が、ストップスイッチ１２０ａ、ストップスイッチ１２０ｂ、ストップスイッチ１２０ｃのいずれかを最初に停止操作することを第１停止といい、第１停止の後、停止操作されていない２つのストップスイッチ１２０のいずれかを停止操作することを第２停止といい、第２停止の後、最後に残ったストップスイッチ１２０を停止操作することを第３停止という。演出スイッチ１２２は、例えば、押圧スイッチと、その周囲に回転自在に配されたジョグダイヤルスイッチとから構成され、遊技者の押圧操作や回転操作を検出する。
【００１９】
前面上扉１０４の上部略中央には、演出に伴う様々な画像を表示する液晶表示部１２４が設けられている。また、前面上扉１０４の上部や左右には、例えば高輝度の発光ダイオード（ＬＥＤ）によって構成される演出用ランプ１２６が設けられる。また、前面上扉１０４の裏面における液晶表示部１２４の左右位置や前面下扉１０６の裏面における左右位置には、効果音や楽音等による聴覚的な演出を行うスピーカ１２８が設けられている。
【００２０】
操作部設置台１１２には、メインクレジット表示部１３０およびメイン払出表示部１３２が設けられている。また、図柄表示窓１０８と操作部設置台１１２との間には、サブクレジット表示部１３４およびサブ払出表示部１３６が設けられている。これらメインクレジット表示部１３０およびサブクレジット表示部１３４にはクレジットされているメダルの枚数（クレジット枚数）が表示され、メイン払出表示部１３２およびサブ払出表示部１３６にはメダルの払出枚数が表示される。
【００２１】
筐体１０２内におけるリール１１０の下方には、メダル排出口１４０ａからメダルを払い出すためのメダル払出装置（メダルホッパー）１４２が設けられている。また、前面下扉１０６の前面下部には、メダル排出口１４０ａから払い出されたメダルを貯留するための受け皿部１４０が設けられている。また、筐体１０２内には、電源スイッチ１４４が設けられている。電源スイッチ１４４は、スロットマシン１００を管理する管理者が操作し、電源の切断状態と電源の投入状態の２つの状態を切り換えるために用いられる。
【００２２】
また、筐体１０２内には、後述する主制御基板２００に、図示しない設定キーおよび設定変更スイッチ（これらを合わせて設定値設定手段という）が設けられている。スロットマシン１００では、設定キーに所定の鍵（操作キー）が挿入されてＯＦＦの位置からＯＮの位置へ回転された状態で電源スイッチ１４４を介して電源が投入されると設定変更モードに移行し、設定値（有利度合を段階的に示したもの）の変更（単に設定変更ともいう）が可能な状態となる。そして、設定変更が可能な状態において設定変更スイッチが押下される度に設定値が１ずつ加算され、例えば、６段階の設定値のうちのいずれかの設定値に変更され、スタートスイッチ１１８が操作されると、設定値が確定し、設定キーを元の位置（ＯＦＦの位置）に戻すことで設定変更モードが終了して遊技が可能となる。なお、設定変更は、電源スイッチ１４４が操作されて電源の投入状態となってから一定期間のみ可能となっている。なお、本実施形態では、設定値「１」が最も有利度合いが低く、設定値「６」が最も有利度合いが高く、設定値「１」から設定値「６」にかけて順に有利度合いが高くなるように設定されている。
【００２３】
スロットマシン１００では、遊技が開始可能となり、規定数のメダルがベットされると、有効ラインが有効化するとともに、スタートスイッチ１１８に対する操作が有効となる。ここで、ベットは、ベットスイッチ１１６の操作を通じてクレジットされているメダルを投入する場合と、メダル投入部１１４を通じてメダルを投入する場合と、詳しくは後述するリプレイ役が有効ライン上に表示されたことに基づいてメダルを自動投入する場合のいずれも含む。また、有効ラインは、当選役の入賞を判定するためのラインであり、本実施形態では５本である。図３（ｂ）に示すように、図柄表示窓１０８に臨む９つの図柄（３リール×上中下の３段）のうち、有効ラインＡは、左リール１１０ａの中段、中リール１１０ｂの中段、右リール１１０ｃの中段に停止する図柄に対応する位置を結んだラインに設定され、有効ラインＢ１は、左リール１１０ａの上段、中リール１１０ｂの上段、右リール１１０ｃの上段に停止する図柄に対応する位置を結んだラインに設定され、有効ラインＢ２は、左リール１１０ａの下段、中リール１１０ｂの下段、右リール１１０ｃの下段に停止する図柄に対応する位置を結んだラインに設定され、有効ラインＣ１は、左リール１１０ａの上段、中リール１１０ｂの中段、右リール１１０ｃの下段に停止する図柄に対応する位置を結んだラインに設定され、有効ラインＣ２は、左リール１１０ａの下段、中リール１１０ｂの中段、右リール１１０ｃの上段に停止する図柄に対応する位置を結んだラインに設定されている（以下、有効ラインＡ、Ｂ１、Ｂ２、Ｃ１、Ｃ２を単に「有効ライン」と略す場合がある）。
【００２４】
そして、遊技者によりスタートスイッチ１１８が操作されると、遊技が開始され、左リール１１０ａ、中リール１１０ｂ、右リール１１０ｃが回転されるとともに、当選種別抽選等が実行される。その後、ストップスイッチ１２０ａ、１２０ｂ、１２０ｃの操作に応じて、対応する左リール１１０ａ、中リール１１０ｂ、右リール１１０ｃをそれぞれ停止させる。そして、当選種別抽選の抽選結果および有効ラインに表示された図柄の組み合わせによって、メダルの払い出しを受け得る当選役が入賞した場合にはメダルの払い出しが実行され、メダルの払い出しを受け得る当選種別に非当選であった場合または当選したが入賞しなかった場合には左リール１１０ａ、中リール１１０ｂ、右リール１１０ｃが全て停止したことをもって、遊技が終了する。
【００２５】
なお、本実施形態において、上記１遊技は、メダル投入部１１４を通じたメダルの投入、ベットスイッチ１１６の操作を通じたクレジットされているメダルの投入、または、リプレイ役が有効ライン上に表示されたことに基づくメダルの自動投入のいずれかが行われてから、遊技者によるスタートスイッチ１１８の操作に応じて、左リール１１０ａ、中リール１１０ｂ、右リール１１０ｃが回転制御されるとともに当選種別抽選が実行され、当選種別抽選の抽選結果および遊技者による複数のストップスイッチ１２０ａ、１２０ｂ、１２０ｃの操作に応じて、操作されたストップスイッチ１２０ａ、１２０ｂ、１２０ｃに対応する左リール１１０ａ、中リール１１０ｂ、右リール１１０ｃがそれぞれ停止制御され、メダルの払い出しを受け得る当選役が入賞した場合、そのメダルの払い出しが実行されるまでの遊技をいう。また、メダルの払い出しを受け得る当選種別に非当選であった場合または当選したが入賞しなかった場合、左リール１１０ａ、中リール１１０ｂ、右リール１１０ｃが全て停止したことをもって１遊技が終了する。ただし、１遊技の開始を、上記のメダルの投入、または、リプレイ役の当選の代わりに、遊技者によるスタートスイッチ１１８の操作と読み替えてもよい。また、かかる１遊技が繰り返される数を遊技数とする。
【００２６】
（スロットマシン１００の電気的構成）
図４は、スロットマシン１００の概略的な電気的構成を示したブロック図である。図４に示すように、スロットマシン１００は、遊技の進行を制御する主制御基板２００と、遊技の進行に応じた演出を制御する副制御基板２０２とを含む制御基板が設けられている。また、主制御基板２００と副制御基板２０２との間の電気的な信号の伝達は、不正防止等の観点から、主制御基板２００から副制御基板２０２への一方向のみに制限される。
【００２７】
（主制御基板２００）
主制御基板２００は、中央処理装置であるメインＣＰＵ２００ａ、プログラム等が格納されたメインＲＯＭ２００ｂ、ワークエリアとして機能するメインＲＡＭ２００ｃ等を含む半導体集積回路を有し、スロットマシン１００全体を統括的に制御する。なお、メインＲＡＭ２００ｃは、電源が切断された場合においても、設定変更が行われてＲＡＭクリアが実行されない限り、データが消去されることなく保持される。
【００２８】
また、主制御基板２００は、メインＣＰＵ２００ａが、メインＲＯＭ２００ｂに格納されたプログラムに基づきメインＲＡＭ２００ｃと協働することで機能する、初期化手段３００、ベット手段３０２、当選種別抽選手段３０４、リール制御手段３０６、判定手段３０８、払出制御手段３１０、遊技状態制御手段３１２、コマンド送信手段３１４等の機能部を有する。
【００２９】
主制御基板２００では、メダル投入口１１４ａへのメダルの投入を検出する投入メダル検出部１１４ｂ、ベットスイッチ１１６、スタートスイッチ１１８およびストップスイッチ１２０ａ、１２０ｂ、１２０ｃから各種の検出信号を受信しており、受信した検出信号に基づいて、メインＣＰＵ２００ａが種々の処理を実行する。
【００３０】
初期化手段３００は、主制御基板２００における初期化処理を実行する。ベット手段３０２は、遊技に使用するためのメダルをベットする。当選種別抽選手段３０４は、スタートスイッチ１１８の操作に基づき、詳しくは後述するように、当選役の当否、より詳しくは、当選役が含まれる当選種別の当否を決定する当選種別抽選を行う。
【００３１】
リール制御手段３０６は、スタートスイッチ１１８の操作に応じて、左リール１１０ａ、中リール１１０ｂ、右リール１１０ｃを回転制御し、回転している左リール１１０ａ、中リール１１０ｂ、右リール１１０ｃにそれぞれ対応したストップスイッチ１２０ａ、１２０ｂ、１２０ｃの操作に応じて、対応する左リール１１０ａ、中リール１１０ｂ、右リール１１０ｃを停止制御する。
【００３２】
また、主制御基板２００には、リール駆動制御部１５０が接続されている。このリール駆動制御部１５０は、スタートスイッチ１１８の操作信号に応じ、リール制御手段３０６から送信される、左リール１１０ａ、中リール１１０ｂ、右リール１１０ｃの回転開始信号に基づいて、ステッピングモータ１５２を駆動する。また、リール駆動制御部１５０は、ストップスイッチ１２０の操作信号に応じ、リール制御手段３０６から送信される、左リール１１０ａ、中リール１１０ｂ、右リール１１０ｃそれぞれの停止信号および回転位置検出回路１５４の検出信号に基づいて、ステッピングモータ１５２の駆動を停止する。
【００３３】
判定手段３０８は、当選役に対応する図柄組み合わせが有効ライン上に表示されたか否か判定する。ここで、当選役に対応する図柄組み合わせが有効ライン上に表示されることを単に入賞という場合がある。払出制御手段３１０は、当選役に対応する図柄組み合わせが有効ライン上に表示されたこと（入賞したこと）に基づいて、当該当選役に対応する数だけメダルを払い出す。また、主制御基板２００には、メダル払出装置１４２が接続されており、払出制御手段３１０は、メダルの払出枚数を計数しながらメダルを排出する。
【００３４】
遊技状態制御手段３１２は、当選種別抽選の結果や判定手段３０８の判定結果を参照し、複数種類の遊技状態のいずれかに移行させる。
【００３５】
コマンド送信手段３１４は、ベット手段３０２、当選種別抽選手段３０４、リール制御手段３０６、判定手段３０８、払出制御手段３１０、遊技状態制御手段３１２等の動作に伴う、遊技に関するコマンドを順次決定し、決定したコマンドを副制御基板２０２に順次送信する。
【００３６】
また、主制御基板２００には、乱数発生器２００ｄが設けられる。乱数発生器２００ｄは、計数値を順次インクリメントし、所定の数値範囲内でループさせ、所定の時点における計数値を抽出することで乱数を得る。主制御基板２００の乱数発生器２００ｄによって生成される乱数（以下、当選種別抽選乱数という）は、遊技者に付与する遊技利益、例えば、当選種別抽選手段３０４が当選種別を決定するために用いられる。
【００３７】
（副制御基板２０２）
また、副制御基板２０２は、主制御基板２００と同様に、中央処理装置であるサブＣＰＵ２０２ａ、プログラム等が格納されたサブＲＯＭ２０２ｂ、ワークエリアとして機能するサブＲＡＭ２０２ｃ等を含む各種半導体集積回路を有し、主制御基板２００からのコマンドに基づき、特に演出を制御する。また、サブＲＡＭ２０２ｃにもメインＲＡＭ２００ｃ同様、不図示のバックアップ電源が接続されており、電源が切断された場合においても、データが消去されることなく保持される。なお、副制御基板２０２にも、主制御基板２００同様、乱数発生器２０２ｄが設けられており、乱数発生器２０２ｄによって生成される乱数（以下、演出抽選乱数という）は、主に演出の態様を決定するために用いられる。
【００３８】
また、副制御基板２０２では、サブＣＰＵ２０２ａが、サブＲＯＭ２０２ｂに格納されたプログラムに基づき、サブＲＡＭ２０２ｃと協働することで機能する、初期化決定手段３３０、コマンド受信手段３３２、演出制御手段３３４等の機能部を有する。
【００３９】
初期化決定手段３３０は、副制御基板２０２における初期化処理を実行する。コマンド受信手段３３２は、主制御基板２００等、他の制御基板からのコマンドを受信し、コマンドに対する処理を行う。演出制御手段３３４は、演出スイッチ１２２から検出信号を受信するとともに、受信されたコマンドに基づいて液晶表示部１２４、演出用ランプ１２６、スピーカ１２８の各デバイスで行われる遊技の演出を決定する。具体的に、演出制御手段３３４は、液晶表示部１２４に表示される画像データや、演出用ランプ１２６、サブクレジット表示部１３４、サブ払出表示部１３６等の電飾機器を通じた演出のための電飾データを決定するとともに、スピーカ１２８から出力すべき音声を構成する音声データを決定する。
【００４０】
（主制御基板２００で用いられるテーブル）
図５は、当選役を説明するための説明図であり、図６は、当選種別抽選テーブルを説明するための説明図である。
【００４１】
スロットマシン１００においては、詳しくは後述するように、複数種類の遊技状態および演出状態が設けられており、遊技の進行に応じて遊技状態および演出状態が移行される。そして、主制御基板２００では、遊技状態制御手段３１２により管理、制御される遊技状態に対応する複数の当選種別抽選テーブル等がメインＲＯＭ２００ｂに格納されている。当選種別抽選手段３０４は、メインＲＡＭ２００ｃに記憶された現在の設定値（遊技利益を得る容易性を段階的に示したもの）と現在の遊技状態に応じて、対応する当選種別抽選テーブルをメインＲＯＭ２００ｂから抽出し、抽出した当選種別抽選テーブルに基づき、スタートスイッチ１１８の操作信号に応じて取得された当選種別抽選乱数が当選種別抽選テーブル内のいずれの当選種別に対応するか判定する。
【００４２】
ここで、当選種別抽選テーブルで抽出される当選種別を構成する当選役には、リプレイ役、小役、ボーナス役が含まれる。リプレイ役は、リプレイ役に対応する図柄組み合わせが有効ライン上に表示されると、遊技者によるメダルの新たなベットを行うことなく再度遊技を実行できる役である。小役は、その小役に対応する図柄組み合わせが有効ライン上に表示されることにより、図柄組み合わせに応じて所定枚数のメダルの払い出しを受けることができる役である。また、ボーナス役は、そのボーナス役に対応する図柄組み合わせが有効ライン上に表示されることにより、遊技状態制御手段３１２により管理される遊技状態をボーナス遊技状態へ移行させることができる役である。
【００４３】
本実施形態における当選役は、図５に示すように、リプレイ役として、当選役「リプレイ」が設けられている。また、小役として、当選役「小役１」〜「小役６」（以下、かかる６個の小役を単に当選役「小役」と略す場合がある）が設けられている。また、ボーナス役として、当選役「ＲＢＢ」、当選役「ＣＢＢ」（以下、かかる２個のボーナス役を単に当選役「ＢＢ」と略す場合がある）が設けられている。図５では、左リール１１０ａ、中リール１１０ｂ、右リール１１０ｃそれぞれに、各当選役を構成する図柄が対応付けられている。なお、図５中「ＡＮＹ」は、対応する有効ライン上にいずれの図柄が停止してもよいことを示す。
【００４４】
ここで、本実施形態においては、遊技者によってストップスイッチ１２０が操作されたときに、入賞可能な当選役に対応する図柄組み合わせを構成する図柄が有効ライン上にある場合には、リール制御手段３０６によって、当該図柄が有効ライン上に停止するように停止制御がなされる。また、ストップスイッチ１２０が操作されたときに、入賞可能な当選役に対応する図柄組み合わせを構成する図柄が、有効ライン上にはないが、リール１１０の回転方向と反対の方向の図柄４コマ分に相当する範囲（引込範囲）内に存在している場合には、リール制御手段３０６によって、離れている図柄数が滑りコマ数となり、当該当選役に対応する図柄組み合わせを構成する図柄を有効ライン上に引き込むように滑りコマ数分回転を維持した後に停止するように停止制御がなされる。また、入賞可能な当選役に対応する図柄がリール１１０中に複数あり、いずれもリール１１０の引込範囲内に存在している場合には、予め定められた優先順位に従っていずれの図柄を有効ライン上に引き込むか決定され、当該優先された図柄を有効ライン上に引き込むように滑りコマ数分回転を維持した後に停止するように停止制御がなされる。なお、ストップスイッチ１２０が押圧操作されたときに、入賞可能な当選役以外の当選役に対応する図柄組み合わせを構成する図柄が有効ライン上にある場合には、リール制御手段３０６によって、その図柄を有効ライン上に停止させないようにする、所謂蹴飛ばし処理も並行して実行される。また、後述するように、当選種別に含まれる当選役に操作態様（操作順や操作タイミング）が入賞条件として設定されている場合、リール制御手段３０６は、遊技者の操作態様に応じて当選役に対応する図柄組み合わせを有効ライン上に表示可能に停止制御する。
【００４５】
そして、例えば、当選役「リプレイ」、当選役「小役１」に対応する図柄組み合わせを構成する図柄は、各リール１１０において、上記の停止制御によって、必ず有効ライン上に表示可能なように配列されている。このような当選役をＰＢ＝１と表す場合がある。一方、例えば、当選役「小役２」〜「小役６」、当選役「ＢＢ」に対応する図柄組み合わせを構成する図柄は、各リール１１０において、上記の停止制御によって、必ずしも有効ライン上に表示可能なように配列されてはいないので、所謂とりこぼしが発生する場合がある。このような当選役をＰＢ≠１と表す場合がある。
【００４６】
図６に示すように、当選種別抽選テーブルでは、複数の当選領域が区画されており、各遊技状態によって抽選の対象となる当選種別が異なったり、ハズレ（不当選）の有無が異なったりする。図６では、各遊技状態（通常遊技状態（通常）、内部中遊技状態（内部中）、当選役「ＲＢＢ」が入賞したボーナス遊技状態（ＲＢＢ）、当選役「ＣＢＢ」が入賞したボーナス遊技状態（ＣＢＢ））毎に割り当てられた当選領域（当選種別）を「○」で表しているが、実際には、複数の遊技状態それぞれに対応する当選種別抽選テーブルがメインＲＯＭ２００ｂに記憶されている。当選種別抽選テーブルでは、区画化された各当選領域にはそれぞれ当選範囲を示す数値である所定の置数（当選範囲値）と当選種別が対応付けられており、遊技状態毎に割り当てられた全ての当選領域の置数を合計すると当選種別抽選乱数の総数（６５５３６）となる。当選種別抽選手段３０４は、その時点の遊技状態に基づいて、当該当選種別抽選テーブルにおける複数の当選領域のうち番号の高い方から、順次、置数を取得し、その置数を当選種別抽選乱数から減算して、その減算値が０未満となると、その時点の当選領域に対応付けられた当選種別を当選種別抽選の抽選結果としている。
【００４７】
図６の当選種別抽選テーブルによれば、例えば当選領域１には、当選種別「ハズレ」が対応付けられており、かかる当選種別に当選すると、図５に示したいずれの当選役に対応する図柄組み合わせも有効ライン上に表示されることはなく、メダルの払い出し等が行われることはない。ただし、後述するように、ＢＢ内部当選フラグが次遊技に持ち越されている場合、当選種別「ハズレ」の当選により、当選役「ＢＢ」に対応する図柄組み合わせを有効ライン上に表示させることが可能となる。
【００４８】
また、当選領域２には、１の当選役「リプレイ」が単独で対応付けられた当選種別「リプレイ」が配置されている。また、当選領域３〜１１には、それぞれ、当選役「小役」が単独で、または、複数の当選役「小役」が重複して対応付けられた当選種別「ベル」、「スイカ」、「チェリー１」、「チェリー２」、「共通チェリー」、「確定チェリー」、「中段チェリー」、「リーチ目」、「小役オール」が配置されている。当選領域１２〜２０には、それぞれ、当選役「ＲＢＢ」が単独で、または、当選役「ＲＢＢ」と１または複数の当選役「小役」とが重複して対応付けられている（以下、かかる９個の当選種別を当選種別「ＲＢＢ」と略す場合がある）。当選領域２１〜２４には、それぞれ、当選役「ＣＢＢ」が単独で、または、当選役「ＣＢＢ」と当選役「小役」とが重複して対応付けられている（以下、かかる４個の当選種別を当選種別「ＣＢＢ」と略す場合があり、当選種別「ＲＢＢ」と当選種別「ＣＢＢ」を区別しない場合、当選種別「ＢＢ」と略する場合がある）。そして、複数の当選役が重複して含まれる当選種別に当選した場合には、いずれの当選役に対応する図柄組み合わせを有効ライン上に優先的に表示させるかが設定されている。
【００４９】
なお、上述したいずれかの当選種別に当選すると、それぞれの当選種別に対応する内部当選フラグが成立（オン）するとともに、この内部当選フラグの成立状況に応じて、各リール１１０の停止制御がなされることとなる。このとき、小役が含まれる当選種別に当選したものの、これら当選役に対応する図柄組み合わせを、その遊技内で有効ライン上に表示させることができなかった場合には、当該遊技の終了後に内部当選フラグがオフされる。つまり、小役の当選の権利は小役が含まれる当選種別に当選した遊技内のみに限られ、当該権利を次遊技に持ち越すことはできない。これに対して、当選種別「ＲＢＢ」、「ＣＢＢ」に当選した場合には、ＢＢ内部当選フラグが成立（オン）するとともに、当選役「ＲＢＢ」、「ＣＢＢ」に対応する図柄組み合わせが有効ライン上に表示されるまで、ＢＢ内部当選フラグが遊技を跨いで持ち越される。なお、リプレイ役である当選種別「リプレイ」に対応する内部当選フラグが成立した場合には、その当選種別に含まれる当選役「リプレイ」のうちのいずれかの当選役「リプレイ」に対応する図柄組み合わせが必ず有効ライン上に表示され、メダルを要することなく次遊技を行うために必要となる処理が行われた後に、当該内部当選フラグがオフされる。
【００５０】
なお、当選種別「スイカ」が当選した際に優先的に停止制御される当選役「小役２」や、当選種別「チェリー１」、「チェリー２」、「共通チェリー」、「確定チェリー」、「中段チェリー」が当選した際に優先的に停止制御される当選役「小役３」、「小役４」は、当選役「ＲＢＢ」、「ＣＢＢ」を除く他の当選役よりも得られる特典（遊技利益）が高くなるように設定されている所謂レア役である。
【００５１】
（遊技状態の遷移）
ここで、ＢＢ内部当選フラグについて、遊技状態の遷移と合わせて具体的に説明する。当選種別「ＢＢ」に当選し、ＢＢ内部当選フラグが成立すると、ＢＢ内部当選フラグの成立状況に応じて、図７の（１）に示すように、主制御基板２００で管理している遊技状態が、当選種別「ＢＢ」に当選していない通常遊技状態（ボーナス非成立遊技状態）から、ボーナス遊技状態の準備状態に相当する内部中遊技状態（ボーナス成立遊技状態）となり、内部中遊技状態に基づいてリール１１０ａ、１１０ｂ、１１０ｃそれぞれの停止制御がなされる。このとき、当選役「ＢＢ」に対応する図柄組み合わせを有効ライン上に表示させることができなかった場合には、そのままＢＢ内部当選フラグが次遊技に持ち越され（内部中遊技状態が維持され）、次回以降の遊技においても当選役「ＢＢ」に対応する図柄組み合わせを有効ライン上に表示させることが可能となる。そして、遊技者が、当選役「ＢＢ」に対応する図柄組み合わせを有効ライン上に表示させると、図７の（２）に示すように、遊技状態が内部中遊技状態からボーナス遊技状態に移行する。また、ボーナス遊技状態において、所定枚数（例えば、２９７枚）を超えるメダルが払い出されると、図７の（３）に示すように、遊技状態が、ボーナス遊技状態から通常遊技状態に移行する。ただし、図７の（４）に破線の矢印で示すように、通常遊技状態における当選役「ＢＢ」が成立した遊技で、当選役「ＢＢ」に対応する図柄組み合わせを有効ライン上に表示させた場合、内部中遊技状態を経由せず、直接、ボーナス遊技状態に移行する。
【００５２】
（設定値の示唆）
ところで、上述したように、スロットマシン１００では、設定キーおよび設定変更スイッチを用いて有利度合を段階的に示した設定値を変更できる。ホール側管理者は、かかる設定値を変更または維持することでスロットマシン１００の出玉率等を調整する。遊技者は、遊技を有利に進行することを望んでいるため、ホール管理者が設定した設定値を把握したいと考えるが、設定値が容易かつ正確に把握可能となると、出玉率の高いスロットマシン１００のみが稼働することとなり、ホール側の経営が成り立たなくなる。しかし、設定値の示唆を全く行わないとなると、可能な限り高い設定値で遊技したいと考える遊技者の遊技意欲が減退してしまう。
【００５３】
そこで、液晶画面を通じて設定値を示唆することも考えられるが、表示された液晶画面がどの設定値を示すのか理解し難い場合がある。ここでは、ボーナス遊技状態といった適切なタイミングで、リール１１０の表示態様（出目）を通じ、容易に把握可能に設定値を示唆することを目的とする。
【００５４】
具体的に、当選種別「ＲＢＢ」の当選に基づくボーナス遊技状態において、当選種別抽選手段３０４は、設定値毎に独立した当選種別抽選テーブルを参照する。ここで、当選種別抽選テーブルでは、所定の設定値の当選種別抽選テーブルには所定の当選領域が割り当てられているが、その他の設定値の当選種別抽選テーブルには所定の当選領域が割り当てられていない。すなわち、所定の設定値に設定されている場合、所定の当選種別に当選する場合があるが、所定の設定値と異なる設定値に設定されている場合、かかる所定の当選種別には当選しない。
【００５５】
図８は、図６で示した当選種別抽選テーブルのうち、当選種別「ＲＢＢ」に関する当選種別抽選テーブルに着目した説明図である。ここでは、当選種別「ＲＢＢ」の当選時に当選する可能性のある当選領域７、８、９、１１の当選種別「共通チェリー」、当選種別「確定チェリー」、当選種別「中段チェリー」、当選種別「小役オール」のみを挙げている。
【００５６】
図８を参照すると、当選種別「共通チェリー」や当選種別「小役オール」は、全ての設定値の当選種別抽選テーブルに配されており、全ての設定値で当選し得る。しかし、当選種別「確定チェリー」に関しては、設定値「３」〜設定値「６」（所定の設定値）の当選種別抽選テーブルに配されているが、設定値「１」、設定値「２」（所定の設定値と異なる設定値）の当選種別抽選テーブルには配されていない。したがって、設定値が「３」〜「６」であれば、例えば、１／５００〜１／２０００の当選確率で当選種別「確定チェリー」に当選し得るが、設定値が「１」または「２」であれば、当選種別「確定チェリー」に当選することはない。同様に、当選種別「中段チェリー」に関しては、設定値「５」、設定値「６」（所定の設定値）の当選種別抽選テーブルに配されているが、設定値「１」〜設定値「４」（所定の設定値と異なる設定値）の当選種別抽選テーブルには配されていない。したがって、設定値が「５」または「６」であれば、例えば、１／５００〜１／２０００の当選確率で当選種別「中段チェリー」に当選し得るが、設定値が「１」〜「４」であれば、当選種別「中段チェリー」に当選することはない。
【００５７】
上記の当選態様を換言すると、当選種別「ＲＢＢ」のボーナス遊技状態中に、当選種別「確定チェリー」に当選すると、そのスロットマシン１００の設定値が「３」〜「６」のいずれかであることを把握できるとともに、設定値が「１」または「２」である可能性を排除できる。さらに、当選種別「ＲＢＢ」のボーナス遊技状態中に、当選種別「中段チェリー」に当選すると、そのスロットマシン１００の設定値が「５」または「６」のいずれかであることを把握できるとともに、設定値が「１」〜「４」である可能性を排除できる。
【００５８】
遊技者は、遊技を有利に進行するために、遊技しているスロットマシン１００の設定値が可能な限り高いことを望んでいる。したがって、遊技者は、当選種別「確定チェリー」の当選により設定値「３」〜「６」のいずれかが確定したことに歓喜し、さらに、当選種別「中段チェリー」の当選により設定値「５」または「６」が確定したことに狂喜する。こうして遊技者の遊技意欲を維持することができる。
【００５９】
ただし、当選種別「確定チェリー」や当選種別「中段チェリー」に当選したものの、その当選自体を遊技者が把握できなければ、設定値の示唆としての効果に欠けることとなる。そこで、当選種別「共通チェリー」、当選種別「確定チェリー」、当選種別「中段チェリー」のいずれに当選したかを当選役および停止制御により遊技者に明確に把握させる。すなわち、リール制御手段３０６は、所定の当選種別（当選種別「確定チェリー」や当選種別「中段チェリー」）に当選すると、当選種別「共通チェリー」が当選した場合と異なるように、所定の図柄組み合わせが所定の表示態様で表示されるように停止制御する。
【００６０】
図９〜図１１は、それぞれ当選種別「共通チェリー」、当選種別「確定チェリー」、当選種別「中段チェリー」に当選したときの停止制御を説明した説明図である。ここでは、当選種別「ＲＢＢ」のボーナス遊技状態中に、遊技者が図９（ａ）のようにスタートスイッチ１１８を傾倒操作し、当選種別「共通チェリー」に当選したとする。ここで、当選種別「共通チェリー」の当選に基づき、当選した当選種別が当選種別「小役オール」とは異なることを示す予告音を出力してもよい。このとき、遊技者が、図３の図柄番号１１の図柄「赤チェリー」を有効ライン上に引き込める範囲で左リール１１０ａを停止操作すると、リール制御手段３０６は、図９（ｂ）のように、当選役「小役３」に対応する図柄「赤チェリー」を有効ラインＢ２上もしくは有効ラインＣ２上に優先的に表示する。
【００６１】
続いて、遊技者が、図３の図柄番号１６の図柄「赤ＢＡＲ」を有効ライン上に引き込める範囲で中リール１１０ｂを停止操作すると、リール制御手段３０６は、図９（ｃ）のように、図柄「赤ＢＡＲ」を有効ラインＡ上に優先的に表示する。かかる停止制御により、有効ラインＡ上には図柄「赤ＢＡＲ」が並び、あと１つ図柄「赤ＢＡＲ」が有効ラインＡ上に並ぶと、当選種別「確定チェリー」が入賞するといった状態になる。したがって、遊技者は、右リール１１０ｃにおいても図柄「赤ＢＡＲ」が有効ラインＡ上に表示されることを望むこととなる。
【００６２】
続いて、遊技者が、図３の図柄番号１８の図柄「赤ＢＡＲ」を有効ライン上に引き込める範囲で右リール１１０ｃを停止操作すると、リール制御手段３０６は、図９（ｄ）のように、図柄「赤ＢＡＲ」が有効ラインＡ上には表示されないように所謂蹴飛ばし処理を行う。かかる停止制御により、遊技者は、当選した当選種別が、当選種別「確定チェリー」ではなく当選種別「共通チェリー」であることを把握し、設定値が「３」〜「６」である確証を得られなかったことに残念感を覚える。
【００６３】
なお、ここでは、遊技者が、左リール１１０ａ→中リール１１０ｂ→右リール１１０ｃの順で停止操作を行う例を挙げたが、遊技者が、左リール１１０ａ→右リール１１０ｃ→中リール１１０ｂの順で停止操作を行った場合も、リール制御手段３０６は、図９（ｄ）のような表示態様となる停止制御を行う。したがって、遊技者は、左リール１１０ａ→右リール１１０ｃ→中リール１１０ｂの順で停止操作を行った場合、右リール１１０ｃを停止操作した時点で、当選種別「確定チェリー」ではなく当選種別「共通チェリー」であることを把握することとなる。
【００６４】
また、当選種別「ＲＢＢ」のボーナス遊技状態中に、当選種別「確定チェリー」に当選したとする。ここで、当選種別「確定チェリー」の当選に基づき、当選した当選種別が当選種別「小役オール」とは異なることを示す予告音を出力してもよい。このとき、遊技者が、図３の図柄番号１１の図柄「赤チェリー」を有効ライン上に引き込める範囲で左リール１１０ａを停止操作すると、リール制御手段３０６は、図１０（ａ）のように、当選役「小役３」に対応する図柄「赤チェリー」を有効ラインＢ２上もしくは有効ラインＣ２上に優先的に表示する。
【００６５】
続いて、遊技者が、図３の図柄番号１６の図柄「赤ＢＡＲ」を有効ライン上に引き込める範囲で中リール１１０ｂを停止操作すると、リール制御手段３０６は、図１０（ｂ）のように、図柄「赤ＢＡＲ」を有効ラインＡ上に優先的に表示する。かかる停止制御により、有効ラインＡ上には図柄「赤ＢＡＲ」が並び、あと１つ図柄「赤ＢＡＲ」が有効ラインＡ上に並ぶと、当選種別「確定チェリー」が入賞するといった状態になる。したがって、遊技者は、右リール１１０ｃにおいても図柄「赤ＢＡＲ」が有効ラインＡ上に表示されることを望むこととなる。
【００６６】
続いて、遊技者が、図３の図柄番号１８の図柄「赤ＢＡＲ」を有効ライン上に引き込める範囲で右リール１１０ｃを停止操作すると、リール制御手段３０６は、図１０（ｃ）のように、図柄「赤ＢＡＲ」を有効ラインＡ上に優先的に表示する。ここでは、図１０（ｃ）のような、有効ラインＢ２またはＣ２上に当選役「小役３」に対応する図柄組み合わせが表示され、有効ラインＡ上に図柄「赤ＢＡＲ」が並んでいる状態が所定の図柄組み合わせが所定の表示態様で表示される状態である。かかる停止制御により、遊技者は、当選した当選種別が、当選種別「確定チェリー」であることを把握し、設定値が「３」〜「６」である確証を得て歓喜する。なお、有効ラインＡ上に表示される図柄は「ＢＡＲ」に相当すれば足りる。すなわち、リール制御手段３０６は、引き込み範囲に存在すれば、図柄「赤ＢＡＲ」および図柄「青ＢＡＲ」のいずれかを有効ラインＡ上に表示するので、結果的に、図柄「赤ＢＡＲ」と図柄「青ＢＡＲ」との組み合わせが有効ラインＡ上に表示されることとなる。
【００６７】
ただし、図柄「赤ＢＡＲ」や図柄「青ＢＡＲ」は各リール１１０に２つずつしか配されていない。したがって、当選種別「確定チェリー」に当選したからといって、遊技者が必ずしも有効ラインＡ上に図柄「赤ＢＡＲ」または図柄「青ＢＡＲ」を揃えることができるとは限らない。そこで、当選種別「確定チェリー」に当選した場合、仮に、所定の図柄組み合わせが所定の表示態様で表示されない、すなわち、遊技者が有効ラインＡ上に図柄「赤ＢＡＲ」や図柄「青ＢＡＲ」を揃えることができなかったとしても、図１０（ｄ）のように、第３停止時に、図柄表示窓１０８もしくはリール１１０背面に設けられた演出用ランプ１２６を通じて、例えば、リールフラッシュといったように、当選種別「確定チェリー」に当選したことが把握できるような演出（当選種別に当選した旨の演出）を行うとしてもよい。なお、かかる演出は、当選種別「確定チェリー」に当選した場合に必ず行うとしてもよいし、左リール１１０ａに図柄「赤チェリー」または図柄「青チェリー」が表示されている場合、かつ、有効ラインＡ上に図柄「赤ＢＡＲ」を揃えることができなかった場合にのみ行うとしてもよい。
【００６８】
また、図３を参照して理解できるように、中リール１１０ｂにおいては、図柄「赤ＢＡＲ」と図柄「青ＢＡＲ」とが２コマしか離れていない。したがって、遊技者の停止操作のタイミングによっては、例えば、有効ラインＡ上に図柄番号１８〜２０のいずれかの図柄が位置しているときに停止操作を行った場合（図３参照）、図柄「赤ＢＡＲ」および図柄「青ＢＡＲ」のいずれも表示することができる。そこで、リール制御手段３０６は、ストップスイッチ１２０の第２停止として、図柄「赤ＢＡＲ」および図柄「青ＢＡＲ」のいずれも引き込める範囲で遊技者が停止操作した場合、ストップスイッチ１２０の第１停止により停止制御された表示態様、すなわち、既に停止している左リール１１０ａの表示図柄に基づいて、その表示図柄に対応する図柄が優先的に表示されるように停止制御する。
【００６９】
具体的に、第１停止に応じて、左リール１１０ａの下段に図柄「赤チェリー」が表示され、中段に図柄「赤ＢＡＲ」が表示されているときに、遊技者が、第２停止として、中リール１１０ｂを、図柄「赤ＢＡＲ」および図柄「青ＢＡＲ」のいずれも引き込める範囲で停止操作した場合、リール制御手段３０６は、部分的な色が赤という点で少なくとも図柄「青ＢＡＲ」よりも図柄「赤チェリー」に類似し、かつ、図柄「赤ＢＡＲ」と同一の図柄「赤ＢＡＲ」を優先的に有効ラインＡ上に表示する。一方、第１停止に応じて、左リール１１０ａの下段に図柄「青チェリー」が表示され、中段に図柄「青ＢＡＲ」が表示されているときに、遊技者が、第２停止として、中リール１１０ｂを、図柄「赤ＢＡＲ」および図柄「青ＢＡＲ」のいずれも引き込める範囲で停止操作した場合、リール制御手段３０６は、部分的な色が青という点で少なくとも図柄「赤ＢＡＲ」よりも図柄「青チェリー」に類似し、かつ、図柄「青ＢＡＲ」と同一の図柄「青ＢＡＲ」を優先的に有効ラインＡ上に表示する。そうすると、同色のＢＡＲ図柄が有効ラインＡ上に揃うことになるので、遊技者は、右リール１１０ｃにも同色のＢＡＲ図柄を狙うことになる。こうして、有効ラインＡ上に同色のＢＡＲ図柄（図柄「赤ＢＡＲ」、「赤ＢＡＲ」、「赤ＢＡＲ」、もしくは、図柄「青ＢＡＲ」、「青ＢＡＲ」、「青ＢＡＲ」）を揃えることが可能となり、設定値が「３」〜「６」であることの確証を得たことの演出効果をさらに高めることができる。
【００７０】
また、当選種別「ＲＢＢ」のボーナス遊技状態中に、当選種別「中段チェリー」に当選したとする。ここで、当選種別「中段チェリー」の当選に基づき、当選した当選種別が当選種別「小役オール」とは異なることを示す予告音を出力してもよい。このとき、遊技者が、図３の図柄番号１１の図柄「赤チェリー」を有効ライン上に引き込める範囲で左リール１１０ａを停止操作すると、リール制御手段３０６は、図１１（ａ）のように、当選役「小役３」に対応する図柄「赤チェリー」を有効ラインＡ上に優先的に表示する。かかる停止制御により、遊技者は、当選した当選種別が、当選種別「中段チェリー」であることを把握し、設定値が「５」または「６」である確証を得て歓喜する。
【００７１】
続いて、遊技者が、図３の図柄番号１６の図柄「赤ＢＡＲ」を有効ライン上に引き込める範囲で中リール１１０ｂを停止操作すると、リール制御手段３０６は、図１１（ｂ）のように、図柄「赤ＢＡＲ」を有効ラインＢ１またはＣ１上に優先的に表示する。
【００７２】
続いて、遊技者が、図３の図柄番号１８の図柄「赤ＢＡＲ」を有効ライン上に引き込める範囲で右リール１１０ｃを停止操作すると、リール制御手段３０６は、図１１（ｃ）のように、図柄「赤ＢＡＲ」を有効ラインＢ１上に優先的に表示する。ここでは、図１１（ｃ）のような、有効ラインＡ上に当選役「小役３」に対応する図柄組み合わせが表示され、有効ラインＢ１またはＣ１上に図柄「赤ＢＡＲ」が並んでいる状態が所定の図柄組み合わせが所定の表示態様で表示される状態である。かかる停止制御により、遊技者は、当選した当選種別が、当選種別「中段チェリー」であることに加え、図柄「赤ＢＡＲ」を有効ラインＢ１上に揃ったことに歓喜する。なお、有効ラインＢ１またはＣ１上に表示される図柄は「ＢＡＲ」に相当すれば足りる。すなわち、リール制御手段３０６は、引き込み範囲に存在すれば、図柄「赤ＢＡＲ」および図柄「青ＢＡＲ」のいずれかを有効ラインＢ１またはＣ１上に表示するので、結果的に、図柄「赤ＢＡＲ」と図柄「青ＢＡＲ」との組み合わせが有効ラインＢ１またはＣ１上に表示されることとなる。
【００７３】
ただし、図１０を用いて説明したのと同様、図柄「赤ＢＡＲ」や図柄「青ＢＡＲ」は各リール１１０に２つずつしか配されていない。したがって、当選種別「中段チェリー」に当選したからといって、遊技者が必ずしも有効ラインＢ１またはＣ１上に図柄「赤ＢＡＲ」または図柄「青ＢＡＲ」を揃えることができるとは限らない。そこで、当選種別「中段チェリー」に当選した場合、仮に、所定の図柄組み合わせが所定の表示態様で表示されない、すなわち、遊技者が有効ラインＢ１またはＣ１上に図柄「赤ＢＡＲ」や図柄「青ＢＡＲ」を揃えることができなかったとしても、図１１（ｄ）のように、第３停止時に、図柄表示窓１０８もしくはリール１１０背面に設けられた演出用ランプ１２６を通じて、例えば、リールフラッシュといったような、当選種別「中段チェリー」に当選したことが把握できるような演出（当選種別に当選した旨の演出）を行うとしてもよい。なお、かかる演出は、当選種別「中段チェリー」に当選した場合に必ず行うとしてもよいし、左リール１１０ａに図柄「赤チェリー」または図柄「青チェリー」が表示されている場合、かつ、有効ラインＢ１またはＣ１上に図柄「赤ＢＡＲ」を揃えることができなかった場合にのみ行うとしてもよい。また、当選種別「中段チェリー」に当選したことが把握できるような演出は、遊技者が、上述した当選種別「確定チェリー」に当選したことが把握できるような演出と区別可能に異なるとしてもよいし、同一としてもよい。
【００７４】
また、図１０を用いて説明したのと同様、中リール１１０ｂにおいては、図柄「赤ＢＡＲ」と図柄「青ＢＡＲ」とが２コマしか離れていない。したがって、遊技者の停止操作のタイミングによっては、例えば、有効ラインＢ１上に図柄番号１８〜２０のいずれかの図柄が位置しているときに停止操作を行った場合（図３参照）、図柄「赤ＢＡＲ」および図柄「青ＢＡＲ」のいずれも表示することができる。そこで、リール制御手段３０６は、図柄「赤ＢＡＲ」および図柄「青ＢＡＲ」のいずれも引き込める範囲で遊技者が停止操作した場合、ストップスイッチ１２０の第１停止により停止制御された表示態様、すなわち、既に停止している左リール１１０ａの表示図柄に基づいて、その表示図柄に対応する図柄が優先的に表示されるように停止制御する。
【００７５】
具体的に、第１停止に応じて、左リール１１０ａの中段に図柄「赤チェリー」が表示され、上段に図柄「赤ＢＡＲ」が表示されているときに、遊技者が、第２停止として、中リール１１０ｂを、図柄「赤ＢＡＲ」および図柄「青ＢＡＲ」のいずれも引き込める範囲で停止操作した場合、リール制御手段３０６は、部分的な色が赤という点で少なくとも図柄「青ＢＡＲ」よりも図柄「赤チェリー」類似し、かつ、図柄「赤ＢＡＲ」と同一の図柄「赤ＢＡＲ」を優先的に有効ラインＢ１またはＣ１上に表示する。一方、第１停止に応じて、左リール１１０ａの中段に図柄「青チェリー」が表示され、上段に図柄「青ＢＡＲ」が表示されているときに、遊技者が、第２停止として、中リール１１０ｂを、図柄「赤ＢＡＲ」および図柄「青ＢＡＲ」のいずれも引き込める範囲で停止操作した場合、リール制御手段３０６は、部分的な色が青という点で少なくとも図柄「赤ＢＡＲ」よりも図柄「青チェリー」に類似し、かつ、図柄「青ＢＡＲ」と同一の図柄「青ＢＡＲ」を優先的に有効ラインＢ１またはＣ１上に表示する。そうすると、同色のＢＡＲ図柄が有効ラインＢ１またはＣ１上に揃うことになるので、遊技者は、右リール１１０ｃにも同色のＢＡＲ図柄を狙うことになる。こうして、有効ラインＢ１またはＣ１上に同色のＢＡＲ図柄（図柄「赤ＢＡＲ」、「赤ＢＡＲ」、「赤ＢＡＲ」、もしくは、図柄「青ＢＡＲ」、「青ＢＡＲ」、「青ＢＡＲ」）を揃えることが可能となり、設定値が「５」または「６」であることの確証を得たことの演出効果をさらに高めることができる。
【００７６】
なお、当選種別「ＲＢＢ」の内部中遊技状態中またはボーナス遊技状態中に、当選種別「中段チェリー」（第１当選種別）に当選したが、遊技者が、図３の図柄番号１１の図柄「赤チェリー」が中段を過ぎた位置で左リール１１０ａを停止操作すると、リール制御手段３０６は、当選役「小役３」に対応する図柄「赤チェリー」を有効ラインＡ上に表示することができない。この場合、リール制御手段３０６は、当選役「小役３」に対応する図柄「赤チェリー」を有効ラインＢ２またはＣ２上に優先的に表示する。そして、図１０を用いて説明したように、リール制御手段３０６は、当選種別「確定チェリー」（第２当選種別）が当選した場合の停止制御を実行する。すなわち、リール制御手段３０６は、当選種別「中段チェリー」（第１当選種別）に当選したにも拘わらず、当選種別「中段チェリー」に基づき、所定の図柄組み合わせが所定の表示態様で表示できなかった場合、当選種別「確定チェリー」（第２当選種別）に基づいて、所定の図柄組み合わせが所定の表示態様と異なる表示態様で表示されるように停止制御する。かかる構成により、当選種別「中段チェリー」に対応する表示はできないが、有効ラインＡ上に同色のＢＡＲ図柄（図柄「赤ＢＡＲ」、「赤ＢＡＲ」、「赤ＢＡＲ」、もしくは、図柄「青ＢＡＲ」、「青ＢＡＲ」、「青ＢＡＲ」）を揃えることが可能となり、高設定値であることの確証を得たことの演出効果を高めることができる。
【００７７】
なお、この場合においても、上述した当選種別「中段チェリー」に当選したことが把握できるような演出を行うことで、遊技者は、当選した当選種別が、当選種別「確定チェリー」ではなく、実際は、当選種別「中段チェリー」であったことを把握でき、設定値が「５」または「６」である確証を得て歓喜する。
【００７８】
このように、当選種別「ＲＢＢ」（所定のボーナス役）のボーナス遊技状態中に、所定の当選種別（当選種別「確定チェリー」や当選種別「中段チェリー」）に当選すると、遊技者は、設定値が所定の設定値（「３」〜「６」、または、「５」もしくは「６」）であることを確証できる。また、当選種別「ＣＢＢ」（所定のボーナス役以外のボーナス役）のボーナス遊技状態では、設定値に拘わらず、所定の当選種別（当選種別「確定チェリー」や当選種別「中段チェリー」）が当選することがない。しかし、図６の当選種別抽選テーブルを参照して理解できるように、当選種別「ＢＢ」の種類に拘わらず、すなわち、当選したのが当選種別「ＲＢＢ」であるか当選種別「ＣＢＢ」であるかに拘わらず、内部中では、当選種別「確定チェリー」や当選種別「中段チェリー」に当選する可能性がある。そうすると、当選種別「ＣＢＢ」の内部中に、当選種別「確定チェリー」や当選種別「中段チェリー」に当選してしまい、意図せず、設定値の示唆を行うことになってしまう。
【００７９】
そこで、リール制御手段３０６は、当選種別「ＲＢＢ」の内部中遊技状態中またはボーナス遊技状態中において当選種別「確定チェリー」や当選種別「中段チェリー」に当選すると、図１０（ｃ）や図１１（ｃ）に示した、所定の図柄組み合わせが所定の表示態様で表示されるように、同色のＢＡＲ図柄（図柄「赤ＢＡＲ」、「赤ＢＡＲ」、「赤ＢＡＲ」、もしくは、図柄「青ＢＡＲ」、「青ＢＡＲ」、「青ＢＡＲ」）を同一の有効ライン上に揃える停止制御を行う。一方で、リール制御手段３０６は、当選種別「ＣＢＢ」の内部中遊技状態中において当選種別「確定チェリー」や当選種別「中段チェリー」に当選すると、図９（ｄ）に示した、所定の図柄組み合わせが所定の表示態様で表示されないように、同色のＢＡＲ図柄（図柄「赤ＢＡＲ」、「赤ＢＡＲ」、「赤ＢＡＲ」、もしくは、図柄「青ＢＡＲ」、「青ＢＡＲ」、「青ＢＡＲ」）を同一の有効ライン上に揃えない停止制御を行う。換言すれば、恰も当選種別「共通チェリー」が当選したかのように停止制御を行う。こうすることで、当選種別「ＣＢＢ」の内部中遊技状態において、意図せず、設定値の示唆が行われるのを回避することができる。
【００８０】
また、当選種別「確定チェリー」や当選種別「中段チェリー」に当選すると、当選種別「ＲＢＢ」の当選が確定し、少なくとも当選種別「ＣＢＢ」に当選することはないといった仕様を設けている場合であっても、当選種別「ＣＢＢ」の当選に応じて、図１０（ｃ）や図１１（ｃ）に示した表示態様となることがないので、遊技者が、当選種別「ＲＢＢ」に当選したと誤解することもない。
【００８１】
なお、図７で示したように、通常遊技状態においても、当選役「ＲＢＢ」と重複して当選する場合にのみ、設定値に拘わらず、図１０（ｃ）や図１１（ｃ）に示した表示態様が表示されることがあり、その場合、当選種別「ＲＢＢ」の当選が確定する。
【００８２】
以上説明したように、ボーナス遊技状態といった適切なタイミングで、遊技者は、リール１１０の表示態様（出目）を通じ、容易に設定値を把握可能となる。また、ボーナス遊技状態では、通常遊技状態と異なり、予告音等で、当選種別「確定チェリー」や当選種別「中段チェリー」の目押しの合図を出すことができるので、遊技者は、設定値が示唆されているのを見逃すことなく、より確実に、リール１１０の表示態様を把握することができる。
【００８３】
なお、ここでは、図８のように、所定の当選種別（例えば、当選種別「確定チェリー」や当選種別「中段チェリー」）の当選により、スロットマシン１００の設定値が所定の設定値（例えば、設定値「３」〜「６」または設定値「５」もしくは「６」）であることが確定する例を挙げて説明したが、その配分はかかる場合に限らず、設定値が奇数または偶数であるか否かが把握できるようにしてもよいし、「１」または「６」であるか否かといったように、任意の組み合わせとしてもよい。
【００８４】
また、ここでは、所定の当選種別（例えば、当選種別「確定チェリー」や当選種別「中段チェリー」）が高設定側（例えば、設定値「３」〜「６」や設定値「５」もしくは「６」）で当選する仕様としたが、低設定側（例えば、設定値「１」〜「４」や設定値「１」もしくは「２」）で当選する仕様としてもよい。かかる構成により、遊技者は、比較的低設定を多く配置するホールを判断することができる。
【００８５】
以下、主制御基板２００、副制御基板２０２における具体的処理をフローチャートに基づいて説明する。
【００８６】
（主制御基板２００のメイン処理）
図１２は、主制御基板２００のメイン処理を示したフローチャートである。ここでは、まず、主制御基板２００のメイン処理に沿って、初期化後の１遊技の概略を説明し、その後、各処理の詳細について説明する。また、ここでは、本実施形態の特徴に関係する処理について詳細に説明し、本実施形態の特徴と無関係の構成については説明を省略する。また、詳細な説明は省略するが、各処理が遂行される際、各処理において用いられるスイッチ（ベットスイッチ１１６、スタートスイッチ１１８、ストップスイッチ１２０ａ、１２０ｂ、１２０ｃ）は、処理の開始時に有効化され、処理の終了時に無効化される。
【００８７】
（ステップＳ１００）
電源スイッチ１４４を介してスロットマシン１００の電源が投入され、通電状態になると、初期化手段３００は、遊技開始に備え初期化処理を実行する。初期化手段３００は、電源が投入されている間、随時バックアップデータを生成し、そのバックアップデータをメインＲＡＭ２００ｃに保持している。したがって、不意の電断が生じたとしても、この初期化処理において、保持されたバックアップデータを用い電断前の状態に復帰させることができる。例えば、リール１１０の回転中に不意の電断が起きたとしても、復帰動作後に再度各リール１１０が回転している状態から開始される。したがって、初期化処理では、基本的に、メインＲＡＭ２００ｃの初期化（ＲＡＭクリア）は行われない。
【００８８】
（ステップＳ２００）
続いて、遊技者によるベットスイッチ１１６の操作、または、メダル投入部１１４へのメダルの投入を通じ、ベット手段３０２がメダルをベットする。また、コマンド送信手段３１４は、その操作がなされたことを示す投入コマンドを生成し、生成された投入コマンドを副制御基板２０２に送信する。
【００８９】
（ステップＳ３００）
次に、当選種別抽選手段３０４は、スタートスイッチ１１８に対する遊技開始操作を有効化し、スタートスイッチ１１８の操作待ち状態に移行する。ここで、当選種別抽選手段３０４は、遊技者によるスタートスイッチ１１８の操作に応じて、主制御基板２００の乱数発生器２００ｄによって更新された当選種別抽選乱数から、スタートスイッチ１１８が操作された時点における１の当選種別抽選乱数を取得する。そして、当選種別抽選手段３０４は、図６に示した当選種別抽選テーブルから、現在設定されている遊技状態に対応する１の当選種別抽選テーブルを決定するとともに、取得した当選種別抽選乱数が、決定した当選種別抽選テーブルにおけるいずれの当選領域に対応するか判定し、判定された当選領域の当選種別または不当選を抽選結果として決定する。なお、当選種別「ＲＢＢ」のボーナス遊技状態中は、図８に示したように設定値毎に独立した当選種別抽選テーブルを参照して当選種別を決定するので、例えば、設定値が「５」または「６」の場合、当選種別「確定チェリー」および当選種別「中段チェリー」に当選する可能性があり、設定値が「３」または「４」の場合、当選種別「確定チェリー」に当選する可能性はあるが、当選種別「中段チェリー」に当選する可能性がなく、設定値が「１」または「２」の場合、当選種別「確定チェリー」および当選種別「中段チェリー」のいずれにも当選する可能性がない。
【００９０】
また、コマンド送信手段３１４は、スタートスイッチ１１８の操作に応じて抽選結果が決定された後、当選種別抽選の抽選結果（当選種別または不当選）や遊技状態に関する情報等を含む当選種別コマンドを生成し、生成された当選種別コマンドを副制御基板２０２に送信する。また、遊技状態制御手段３１２は、ＲＴ０遊技状態、ＲＴ１遊技状態、ＲＴ２遊技状態、ＲＴ３遊技状態、ＲＴ４遊技状態において当選種別「ＲＢＢ」に当選したことに基づき遊技状態を内部中遊技状態に移行する。
【００９１】
（ステップＳ４００）
スタートスイッチ１１８が操作されると、リール制御手段３０６は、ステッピングモータ１５２を駆動して左リール１１０ａ、中リール１１０ｂ、右リール１１０ｃを回転させる。このリール回転処理においては、前回の１遊技における左リール１１０ａ、中リール１１０ｂ、右リール１１０ｃの回転開始時点から所定の時間（例えば４．１秒）が経過すると（ウェイト）、当該遊技における左リール１１０ａ、中リール１１０ｂ、右リール１１０ｃの回転を開始し、左リール１１０ａ、中リール１１０ｂ、右リール１１０ｃの全てが定速回転となったところで、ステップＳ５００に処理を移す。
【００９２】
（ステップＳ５００）
続いて、リール制御手段３０６は、ストップスイッチ１２０ａ、１２０ｂ、１２０ｃを有効化し、遊技者によるストップスイッチ１２０ａ、１２０ｂ、１２０ｃの操作を受け付けると、その操作に対応する左リール１１０ａ、中リール１１０ｂ、右リール１１０ｃのいずれかを停止制御する。なお、リール制御手段３０６は、当選種別「ＲＢＢ」の内部中遊技状態中またはボーナス遊技状態中において当選種別「確定チェリー」や当選種別「中段チェリー」に当選すると、図１０（ｃ）や図１１（ｃ）に示した、同色のＢＡＲ図柄（図柄「赤ＢＡＲ」、「赤ＢＡＲ」、「赤ＢＡＲ」、もしくは、図柄「青ＢＡＲ」、「青ＢＡＲ」、「青ＢＡＲ」）を同一の有効ライン上に揃える停止制御を行う。一方で、リール制御手段３０６は、当選種別「ＣＢＢ」の内部中遊技状態中において当選種別「確定チェリー」や当選種別「中段チェリー」に当選すると、図９（ｄ）に示した、同色のＢＡＲ図柄（図柄「赤ＢＡＲ」、「赤ＢＡＲ」、「赤ＢＡＲ」、もしくは、図柄「青ＢＡＲ」、「青ＢＡＲ」、「青ＢＡＲ」）を同一の有効ライン上に揃えない停止制御を行う。
【００９３】
また、コマンド送信手段３１４は、ストップスイッチ１２０ａ、１２０ｂ、１２０ｃのいずれかの操作がなされると、操作がなされたストップスイッチ１２０ａ、１２０ｂ、１２０ｃの情報を示す停止コマンド（第１停止コマンド、第２停止コマンド、第３停止コマンド）を操作の度に生成し、生成された停止コマンドを順次、副制御基板２０２に送信する。
【００９４】
（ステップＳ６００）
次に、判定手段３０８は、図３（ｂ）に示した有効ライン上に表示された図柄組み合わせが予め定められたどの組み合わせに相当するかを判定し、その図柄組み合わせに応じて遊技状態の変更やリプレイに際して要求される種々の処理を実行する。また、コマンド送信手段３１４は、有効ライン上に表示された図柄組み合わせや、有効ライン上に小役に対応する図柄組み合わせが表示された場合におけるメダルの払出枚数等を含む入賞コマンドを生成し、生成された入賞コマンドを副制御基板２０２に送信する。
【００９５】
（ステップＳ７００）
続いて、払出制御手段３１０は、ステップＳ６００における判定結果に基づき、例えば、有効ライン上に小役に対応する図柄組み合わせが表示されると、当該小役に対応するメダルの払出処理を実行し、有効ライン上にリプレイ役に対応する図柄組み合わせが表示されると、自動的に次遊技のベットを行うための処理を実行する。このように、払出制御手段３１０は、有効ライン上に表示された図柄組み合わせに対応して種々の処理を遂行し、当該１遊技を終了する。また、コマンド送信手段３１４は、メダルの払出処理がなされた場合、払出処理がなされたことを示す払出コマンドを生成し、生成された払出コマンドを副制御基板２０２に送信する。
【００９６】
ステップＳ２００からステップＳ７００までの一連の処理を通じて１遊技が実行される。以後は、ステップＳ２００からステップＳ７００までを繰り返すこととなる。
【００９７】
（副制御基板２０２のサブ処理）
図１３は、副制御基板２０２のサブ処理を示したフローチャートである。
【００９８】
（ステップＳ１１００）
電源スイッチ１４４を介してスロットマシン１００の電源が投入され、通電状態になると、初期化決定手段３３０は、遊技開始に備え初期化処理を実行する。初期化決定手段３３０は、電源が投入されている間、随時バックアップデータを生成し、そのバックアップデータをサブＲＡＭ２０２ｃに保持している。
【００９９】
（ステップＳ１２００）
コマンド受信手段３３２は、主制御基板２００からのコマンドが受信されているか否か判定する。その結果、コマンドが受信されていれば、ステップＳ１３００に処理を移し、コマンドが受信されていなければ、ステップＳ１４００に処理を移す。
【０１００】
（ステップＳ１３００）
上記ステップＳ１２００においてコマンドが受信されていると判定されれば、コマンド受信手段３３２は、当該受信されたコマンドに基づいて種々の処理を実行する。かかるコマンド受信処理Ｓ１３００は後程詳述する。
【０１０１】
（ステップＳ１４００）
演出制御手段３３４は、演出スイッチ１２２の検出信号を解析し、その解析結果に基づいて種々の処理を行う。
【０１０２】
（ステップＳ１５００）
演出制御手段３３４は、実行が決定された各種演出の実行情報（タイムテーブル）を参照して、当該タイムテーブルに記憶された該当時間に対応する処理を実行するタイムスケジュール管理処理を行い、ステップＳ１２００からの処理を繰り返す。この処理では、液晶表示部１２４の表示画像を挿入したり切り替えたりし、また、各種のコマンドを各デバイスに送信する。これにより各種演出が実行されることとなる。
【０１０３】
（コマンド受信処理Ｓ１３００）
図１４は、上記ステップＳ１３００のコマンド受信処理を示したフローチャートである。ここでは、特に、ＡＴ状態の遷移について詳細に説明し、本実施形態の特徴と無関係の構成については説明を省略する。
【０１０４】
（ステップＳ１３０１）
まず、コマンド受信手段３３２は、受信したコマンドが投入コマンドであるか否か判定する。その結果、受信したコマンドが投入コマンドであれば、ステップＳ１３０２に処理を移し、受信したコマンドが投入コマンドでなければ、ステップＳ１３０３に処理を移す。
【０１０５】
（ステップＳ１３０２）
上記ステップＳ１３０１において受信したコマンドが投入コマンドであると判定されれば、演出制御手段３３４は、次の遊技のための遊技開始準備が行われたとして、それまで実行されていた演出を所定条件下で切り換えたり、終了させたりする。
【０１０６】
（ステップＳ１３０３）
続いて、コマンド受信手段３３２は、受信したコマンドが当選種別コマンドであるか否か判定する。その結果、受信したコマンドが当選種別コマンドであれば、１遊技が開始されたとし、ステップＳ１３０４に処理を移し、受信したコマンドが当選種別コマンドでなければ、ステップＳ１３０６に処理を移す。
【０１０７】
（ステップＳ１３０４）
上記ステップＳ１３０３において受信したコマンドが当選種別コマンドであると判定されれば、演出制御手段３３４は、当選種別コマンドに基づいて遊技の演出を決定する。
【０１０８】
（ステップＳ１３０５）
次に、演出制御手段３３４は、決定した演出を実行開始する。
【０１０９】
（ステップＳ１３０６）
続いて、コマンド受信手段３３２は、受信したコマンドが停止コマンドであるか否か判定する。その結果、受信したコマンドが停止コマンドであれば、ステップＳ１３０７に処理を移し、受信したコマンドが停止コマンドでなければ、ステップＳ１３０８に処理を移す。
【０１１０】
（ステップＳ１３０７）
上記ステップＳ１３０６において受信したコマンドが停止コマンドであると判定されれば、演出制御手段３３４は、その停止コマンドが、第１停止コマンド、第２停止コマンド、第３停止コマンドのいずれであるか、また、その停止操作は、ストップスイッチ１２０ａ、１２０ｂ、１２０ｃのいずれになされた停止操作かを判定し、その判定結果と演出の内容に基づいて、種々の処理を行うとともに、演出態様を変動させる。
【０１１１】
（ステップＳ１３０８）
続いて、コマンド受信手段３３２は、受信したコマンドが入賞コマンドであるか否か判定する。その結果、受信したコマンドが入賞コマンドであれば、ステップＳ１３０９に処理を移し、受信したコマンドが入賞コマンドでなければ、ステップＳ１３１０に処理を移す。
【０１１２】
（ステップＳ１３０９）
上記ステップＳ１３０８において受信したコマンドが入賞コマンドであると判定されれば、演出制御手段３３４は、当該入賞コマンドに基づく演出をタイムテーブルに設定する。なお、入賞コマンドが当選種別「確定チェリー」の当選に基づく当選役「小役３」の入賞を示していれば、当選種別「確定チェリー」に当選したことが把握できるような演出を行い、入賞コマンドが当選種別「中段チェリー」の当選に基づく当選役「小役３」の入賞を示していれば、当選種別「中段チェリー」に当選したことが把握できるような演出を行う。
【０１１３】
（ステップＳ１３１０）
続いて、コマンド受信手段３３２は、受信したコマンドが払出コマンドであるか否か判定する。その結果、受信したコマンドが払出コマンドであれば、ステップＳ１３１１に処理を移し、受信したコマンドが払出コマンドでなければ、当該コマンド受信処理Ｓ１３００を終了する。
【０１１４】
（ステップＳ１３１１）
上記ステップＳ１３１０において受信したコマンドが払出コマンドであると判定されれば、演出制御手段３３４は、当該払出コマンドに基づく演出をタイムテーブルに設定し、当該コマンド受信処理Ｓ１３００を終了する。そうすると、メダルの払出に応じて、サブクレジット表示部１３４およびサブ払出表示部１３６の数値が更新される。
【０１１５】
以上、添付図面を参照しながら本発明の好適な実施形態について説明したが、本発明はかかる実施形態に限定されないことはいうまでもない。当業者であれば、特許請求の範囲に記載された範疇において、各種の変更例または修正例に想到し得ることは明らかであり、それらについても当然に本発明の技術的範囲に属するものと了解される。
【０１１６】
例えば、上述した実施形態では、主制御基板２００と副制御基板２０２とが、遊技を進行するための機能部を分担するように配したが、主制御基板２００の機能部を副制御基板２０２に配しても、副制御基板２０２の機能部を主制御基板２００に配してもよく、また、全ての機能部を１の制御基板に纏めて配することもできる。
【０１１７】
また、上述した実施形態においては、遊技利益としてボーナス遊技を挙げて説明したが、かかる場合に限らず、遊技利益が大きい選択当選役と他の当選役とが重複した選択当選種別であり、ストップスイッチ１２０ａ、１２０ｂ、１２０ｃの操作態様が、複数の操作態様のうちの所定の操作態様（正解操作態様）であること、すなわち、所定の操作順（打順）または所定の操作タイミングあるいはこれらの組み合わせであることが選択当選役の入賞条件として設定された選択当選種別が当選役抽選により決定したときに、演出制御手段３３４が、その選択当選役の入賞条件となる正解操作態様を報知する補助演出を行うことで、当該選択当選役に対応する図柄組み合わせを、遊技者が有効ライン上に容易に表示させることができる、所謂、ＡＴ（アシストタイム）を実行するＡＴ演出状態や、リプレイ役の当選確率が通常遊技より高くなるように設定してメダルの消費を抑えることで、メダルの消費に対する当選役の抽選機会を増やす、ＲＴ（リプレイタイム）遊技や、上記のＡＴとＲＴ遊技が同時に進行されるＡＲＴ遊技を設けてもよい。
【０１１８】
また、上述した主制御基板２００および副制御基板２０２が行う各処理は、必ずしもフローチャートとして記載された順序に沿って時系列に処理する必要はなく、並列的あるいはサブルーチンによる処理を含んでもよい。
【符号の説明】
【０１１９】
１００  スロットマシン（遊技機）
３０４  当選種別抽選手段
３０６  リール制御手段
３１２  遊技状態制御手段
３３４  演出制御手段
【図１】
2019083924.tif 000003
【図２】
2019083924.tif 000004
【図３】
2019083924.tif 000005
【図４】
2019083924.tif 000006
【図５】
2019083924.tif 000007
【図６】
2019083924.tif 000008
【図７】
2019083924.tif 000009
【図８】
2019083924.tif 000010
【図９】
2019083924.tif 000011
【図１０】
2019083924.tif 000012
【図１１】
2019083924.tif 000013
【図１２】
2019083924.tif 000014
【図１３】
2019083924.tif 000015
【図１４】
2019083924.tif 000016